(57)【要約】      （修正有）【課題】合成樹脂製の箸に関し、洗浄機で洗浄しても印刷物が剥離しない印刷方法と、印刷作業中に箸がブレない箸をしっかり固定する固定具を提供する。【解決手段】箸１の表面に平面部を設け、平面部の中に深さ５０ミクロンの凹部の印刷領域を設け、凹部の印刷領域の中にインク厚５〜２０ミクロンのスクリーン印刷を施す。印刷時の箸１をブレないようしっかり固定するため、固定具４は箸１の太いほうの端部を、箸１の形状に応じて多角形・円錐形等で構成し、この部分に箸１が嵌合するよう構成し、箸１本体は、太いほうのガイド体５と細いほうのガイド体６とで固定することで、箸１の回転と縦方向・横方向の動きを抑えるよう構成する。【選択図】図１３
2016128247.tif 000002
【特許請求の範囲】
【請求項１】
多角形棒体の形状からなる箸の表面を平らに削り、平らになった面の各縁から約１ｍｍ内側部分に深さ５０ミクロンの平らな溝をつくり、この溝の中にインク厚５〜２０ミクロンのスクリーン印刷を施すことを特徴とした、剥がれ難い印刷方法。
【請求項２】
多角形棒体をしっかりとブレなく固定するために、多角形棒体を横に寝かせて固定する構成であって、
多角形棒体を垂直方向と水平方向に挟む複数のガイド体と、
多角形棒体の一方の端部は開放されており、他の端部は多角形棒体の端部を正確に受け止めるよう、多角形棒体の形状に合わせて円錐形や多角形を形成することを特徴とする固定具。
【発明の詳細な説明】
【技術分野】
【０００１】  本発明は、主に洗浄機を用いて繰り返し使用する箸の表面印刷部損傷防止に関するものであり、多角形棒体（真円柱体や丸みを帯びた多角形棒体もあるが、ここでは多角形棒体と称することにした。）からなる箸への印刷方法と、多角形棒体からなる箸の固定具に関するものである。
【背景技術】
【０００２】  我が国では外食産業を中心に、使い捨ての割り箸が広く使用されていたが、その木材消費量が膨大な量となり、自然環境を破壊しすぎることから、近年では繰り返し使用することができる合成樹脂製の箸が多く用いられるようになった。
繰り返し使用するようになると箸や食器の洗浄も手洗いでは間に合わず、洗浄機を用いた機械洗浄が主流となった。
機械洗浄は人手と異なり、汚れの落ち具合を確認することができないため、かなり強めの洗浄となり、食器や箸の表面に文字や図柄・標章等が印刷・塗装されていると必ずといっていいほど印刷や塗装は削られたり剥がれ落ちたりすることになる。【０００３】  合成樹脂製の箸への印刷技術については特許文献１に記されているが、この技術は箸の素材に染料を転写浸透させるものであり、細かい文字や模様の表現はできない。
特許文献２は、機械洗浄の際、箸の短部が割れたり削れたり、剥がれたりするのを防ぐために熱収縮チューブで覆ってしまうものであり、印刷や塗装を保護するためには印刷面を削って印刷や塗装を行った後に、熱収縮チューブで覆う必要がある。
熱収縮チューブが収縮した後の面位置を合わせるには相当な技術が必要であり、細く削られた箸への印刷や塗装は大変難しい。
【先行技術文献】
【特許文献】
【０００４】
【特許文献１】特開２００８−２２１４８０
【特許文献２】特開２０１２−５０６３２
【発明の概要】
【発明が解決しようとする課題】
【０００５】  最近の飲食店は繰り返して使用する食器や箸等を宣伝のために用いることを考えるようになり、洗浄機に耐える印刷や塗装が要求されるようになってきた。
しかし、機械洗浄に耐えるには食器や箸等の素材の選択と、印刷や塗装の工夫が必要である。
機械洗浄する以上、食器や箸等が激しくぶつかり合ったり、擦れあったりすることは当たり前であり、洗浄中の食器や箸等の表面に印刷された文字や模様・図柄等は確実に剥がれたり削られたりして汚らしくみえてしまう。
そのため、従来は食器や箸等の素材の色合いを変化させるだけで、表面への印刷はあまりしていなかった。【０００６】  幸いにも食器や箸等の素材については耐久性のあるシンジオタクチック・ポリスチレン合成樹脂を用いたものが多く出回ってきており、短期間での箸自体の磨耗等の心配はなくなっているが、シンジオタクチック・ポリスチレン製品への剥がれない印刷は大変難しいという問題がある。【０００７】  このシンジオタクチック・ポリスチレンは、耐熱温度が２４０℃もあるので高温洗浄でも変形することなく、熱処理による殺菌消毒も可能である。また、化学薬品にも侵されにくいので、箸としての利用価値は高い。【０００８】  しかしながら、シンジオタクチック・ポリスチレンへの印刷はＪＩＳ企画の剥離試験で簡単に剥離してしまうのである。
そこで、印刷準備の段階から乾燥までの微妙な調整で、剥がれ難い印刷が完成した。【０００９】  本発明は、シンジオタクチック・ポリスチレンを含めた合成樹脂製の箸に関し、洗浄機に耐える印刷方法を提供することを第１の課題とする。なお、前述の印刷準備の段階から乾燥までの微妙な調整に関する技術については、ここでは省略する。
更に、箸のような細い多角形棒体は固定が大変であり、僅かでもブレがあると印刷にズレや滲みが生じることから、多角形棒体をしっかり固定する固定具を提供することを第２の課題とする。
【課題を解決するための手段】
【００１０】  上記の理由から、従来は箸の素材の色合いを変化させることだけで、表面への印刷はあまりしていなかった。
本発明は、上記２つの課題を同時に解決するために、箸１に平面部２を設ける。この平面部２は箸１が手から滑り難いようエンボス加工されているものが多いため、印刷しやすくするために箸１の表面を平らにするものである。したがって、エンボス加工されていないのであれば、わざわざ平面部２を設ける必要はなく、箸１に凹部の印刷領域３を設けて、その凹部の印刷領域３に印刷することができる。
また、箸１は細いだけでなく概円柱体や多角形棒体であるため、確実に固定できるよう、箸１が固定具４に噛み込む構成とした。なお、概円柱体への印刷については固定具４を用いなくても通常の技術で簡単に印刷できるので固定具４は使用しなくてもよい。【００１１】  以下、印刷も固定も共に難しい多角形棒体の箸への印刷を中心に述べる。
印刷しやすくするために箸１の平面部２に凹部の印刷領域３を設けてこの凹部の印刷領域３の中にスクリーン印刷することにした。【００１２】  箸１の固定には、箸１の太さと角の数に応じた固定具４を作る必要があるが、量産タイプの固定具４を数種用意しておけばよい。
固定具４の詳しい説明については後述する。
【発明の効果】
【００１３】  飲食店で使われる洗浄機は大量の箸をまとめて洗浄するため、表面に印刷や塗装が施された新品の箸を洗浄すると、きわめて短期間で印刷や塗装が剥がれ落ちてしまう。
印刷や塗装が剥がれ落ちてしまう商品を店舗の宣伝や記念の粗品等に用いるわけにはいかない。
そのため、箸の素材の色の組み合わせを変えたり、箸を店舗の宣伝や記念の標章等を印刷した箸袋に入れる程度のことしかできなかった。【００１４】  第１の課題である洗浄機に耐える印刷技術は、箸の表面に印刷された文字や図柄・標章等が簡単に剥がれたり削れたりしないので、店舗の宣伝や記念の粗品等として用いることができる。【００１５】  第２の課題である多角形棒体をしっかり固定する固定具４は、簡単に箸を着脱することができながら、しっかりと固定することができるので印刷時にブレたりズレたりすることがないので安心して印刷することができるものである。
【図面の簡単な説明】
【００１６】
【図１】表面にエンボス加工がなされている箸１への印刷加工例
【図２】箸１に平面部２と凹部の印刷領域３を設けた例の１
【図３】箸１に平面部２と凹部の印刷領域３を設けた例の２
【図４】箸１に平面部２と凹部の印刷領域３を設けた例の３
【図５】固定具４の全体像
【図６】固定具４と箸の嵌合状況（拡大図）
【図７】固定具４を真上から見た図
【図８】図７の破線で示した部分の拡大図
【図９】図８のＢ−Ｂ’・Ｃ−Ｃ’・Ｄ−Ｄ’の断面図
【図１０】図８のＢ−Ｂ’・Ｃ−Ｃ’・Ｄ−Ｄ’の断面図（箸１を固定した状態）
【図１１】固定具４を真横から見た図
【図１２】図７の破線Ａ−Ａ’で示した部分の断面図
【図１３】固定具４と箸１の嵌合状況（全体図）
【図１４】固定具４に箸１をセットしようとしている状況
【図１５】固定具４に箸１をセットした状況
【図１６】箸１を、細いほうのガイド体６で固定した状況
【発明を実施するための形態】
【００１７】  まず、印刷方法について述べる。
図１は滑りにくいように表面に細かいエンボス加工がなされている箸１である。多角形棒体の印刷をする部分に凹凸があると印刷ができないため、図２から図４のように印刷する周辺部分の表面を僅かに削りエンボス加工がなくなる程度に平面部２を設ける。箸１の大きさにもよるが、箸１のサイズが最大幅９ｍｍ・全長２３１ｍｍ五角形の場合、箸１の表面をエンボス等の凹凸が無くなる程度まで平らに削ることにより、幅４，５ｍｍ、長さ１０２ｍｍの平面部２ができ、同時に、箸１を持ったり触ったりしても削ったことによる違和感もない。
【００１８】  平らにした平面部２をさらに削り凹部の印刷領域３を掘る。この凹部に印刷する。勿論、エンボス加工されていない平らな箸１の場合は直接凹部の印刷領域３を掘ればよい。
【００１９】  前記の箸１を用いた場合、平面部２を最大幅端部方向に１ｍｍ、左右方向に１ｍｍを残して、深さ５０ミクロンの凹部の印刷領域３を削る。
この凹部の印刷領域３の中にインク厚５〜２０ミクロンのスクリーン印刷を施すわけであるが、この凹部の印刷領域３の深さと幅であれば４ｍｍ幅の印刷が可能である。図１にその一例を記す。細部の印刷状態を確認することができる。
【００２０】  このように加工することで、通常の印刷を施した箸と、この技術を用いて印刷した箸１をＪＩＳ企画の剥離試験で比較すると、通常の印刷を施した箸の場合は簡単に印刷が剥離したが、この技術を用いて印刷した箸１は剥離を防止することができた。
【００２１】  概円柱体や多角形棒体をしっかり固定する固定具４について述べる。
元々は印刷時の固定にと考えて作ったが、しっかり固定できるので、箸に限らず、概円柱体や多角形棒体の表面加工にも利用することができる。つまり、箸１を平らに加工する工程、印刷範囲となる凹部の印刷領域３の加工にも利用でき、最終的に印刷に利用することができる。なお、真円柱体については通常の技術で簡単に印刷できるので固定具４は不要である。
【００２２】  固定具４の材質を変更すれば、硬い金属の加工にも応用可能である。
固定具４の全体像は図５のような形状である。箸１膳（２本）がセットされている。箸の太いほうのガイド体５と細いほうのガイド体６でしっかりと固定する。
【００２３】  図６は既に１本がセットされており、２本目をセットしようとしているところである。
図６からは分かり難いが、箸の太い部分は箸をしっかり受け止めるよう、五角形加工部分７と、その先に円錐形加工部分８で構成されており、この五角形加工部分７と円錐形加工部分８に箸１が嵌合することにより、箸１の回転を抑えることができる。
【００２４】  更に図５の、箸の太いほうのガイド体５と細いほうのガイド体６の幅は、箸１の幅に合わせたサイズにしてあるため、箸１は細いほうに向かって移動することはない。
このように、固定具４にセットされた箸１は回転も移動もすることがなく、しっかりと固定された状態を保つことができる。
【００２５】  図５や図６では細部が分かり難いため、図７から図１６を用いて説明する。
図７は固定具４を真上から見た図である。この固定具４は四角形の箸２膳（４本）と、五角形の箸２膳（４本）とを同時にセットすることができるように構成した。ここでは五角形の箸を用いて述べる。
【００２６】  図７の破線で示した部分を図８に記す。
図９は、図８のＢ−Ｂ’・Ｃ−Ｃ’・Ｄ−Ｄ’の断面部分であり、箸１はセットされていない状態である。
図１０は、図８のＢ−Ｂ’・Ｃ−Ｃ’・Ｄ−Ｄ’の断面部分であり、箸１を固定した状態である。
箸１の細いほうのガイド体６は図９のＢ−Ｂ’断面図と同一構成であり、箸１の幅に応じて狭くなるだけなので省略している。
このように、１本の箸１は計４箇所でしっかり固定される。
【００２７】  図１１は固定具４を真横から見た図であり、図１２は図７の破線Ａ−Ａ’で示した部分の断面図である。
以上の各図から分かるように、固定具４にセットされた箸１は、太いほうのガイド体５と細いほうのガイド体６と、五角形加工部分７と、円錐形加工部分８によって全く動くことはない。
【００２８】  図６と図１３の右側の箸１は固定具４にセットしようとしているところである。
この固定具４は箸１のサイズに合わせて構成されており、五角形加工部分７と円錐形加工部分８と太いほうのガイド体５と細いほうのガイド体６でしっかり固定する都合、箸１の着脱には少し手間が必要である。
【００２９】  箸１の取り付けは、まず図６と図１３の右側の箸１のように、箸１の平らな面を少し傾ける。次に図１４のように箸１の細いほうを少し持ち上げた状態で太いほうのガイド体５に滑らせていく。
【００３０】  図１５で示す五角形加工部分７と円錐形加工部分８に箸１の端部を突き当てる。この際、箸１の平らな面を上にするよう回転させると簡単に装着することができる。
【００３１】  図１６のように、箸１の細いほうを、細いほうのガイド体６に押し落とす。
取り外す場合は、逆の順序で行う。
【００３２】  このように、箸１の着脱には若干の手順が必要であるが、しっかりと固定するための最小限の構成とすることができた。
【００３３】  ここでは、五角形の箸を例に述べたが、四角形でも同じである。また、他の多角形でも全く変わらない。なお、概円柱体の場合、楕円形のものは多角形と同様であり、真円柱体であれば平らな面はないので、少し回転させるという動作は全く必要ない。
【００３４】  以上、機械洗浄に耐える箸について述べてきたが、箸に限らず、概円柱体や多角形棒体製品全ての印刷に利用できることはいうまでもない。
【符号の説明】
【００３５】  １  箸
２  平面部
３  印刷領域
４  固定具
５  太いほうのガイド体
６  細いほうのガイド体
７  五角形加工部分
８  円錐形加工部分
【図１】
2016128247.tif 000003
【図２】
2016128247.tif 000004
【図３】
2016128247.tif 000005
【図４】
2016128247.tif 000006
【図５】
2016128247.tif 000007
【図６】
2016128247.tif 000008
【図７】
2016128247.tif 000009
【図８】
2016128247.tif 000010
【図９】
2016128247.tif 000011
【図１０】
2016128247.tif 000012
【図１１】
2016128247.tif 000013
【図１２】
2016128247.tif 000014
【図１３】
2016128247.tif 000015
【図１４】
2016128247.tif 000016
【図１５】
2016128247.tif 000017
【図１６】
2016128247.tif 000018